(57)【要約】【課題】撮像された撮像画像を表示先の装置又は表示態様に応じて容易に変更することができる画像処理システム、画像処理方法及びプログラムを提供することを目的とする。【解決手段】画像処理システム２は、取得部１０１と、画像処理部１０２とを、備える。取得部１０１は、撮像部１１が撮像した撮像画像を取得する。画像処理部１０２は、所定の基準に基づいて、撮像画像を複数の表示範囲に変更する。これにより、撮像部１１が撮像した撮像画像を表示先の装置又は表示態様に応じて容易に変更することができる。【選択図】図１
2020174260.tif 000002
【特許請求の範囲】
【請求項１】
撮像部が撮像した撮像画像を取得する取得部と、
所定の基準に基づいて、前記撮像画像を複数の表示範囲の画像に変更する画像処理部と、を備える、
画像処理システム。
【請求項２】
前記画像処理部は、
前記複数の表示範囲のうち、一の表示範囲を前記所定の基準に基づいて決定すると、当該一の表示範囲の決定に連動して他の表示範囲を決定する、
請求項１に記載の画像処理システム。
【請求項３】
前記所定の基準は、前記撮像画像における所定の基準点、基準線、及び基準面のうち少なくとも１つを含む、
請求項１又は２に記載の画像処理システム。
【請求項４】
前記所定の基準に含まれる所定の基準点、基準線、及び基準面のうち前記複数の表示範囲の画像に変更する際に用いる１つの基準を設定する基準設定部を、更に備える、
請求項３に記載の画像処理システム。
【請求項５】
前記所定の基準は前記基準線を含み、
前記基準線は、前記複数の表示範囲のうち少なくとも１つの表示範囲の１辺を含む、
請求項３又は４に記載の画像処理システム。
【請求項６】
前記所定の基準は、前記基準面を含み、
前記基準面は、前記撮像画像の中心を含む、
請求項３〜５のいずれか一項に記載の画像処理システム。
【請求項７】
前記複数の表示範囲は、各々の少なくとも一部が重複する、
ことを特徴とする請求項１〜６のいずれか一項に記載の画像処理システム。
【請求項８】
前記画像処理部は、
前記複数の表示範囲のうち１つの表示範囲の画像に前記撮像画像を変更した際の当該１つの表示範囲の画像の変更方向に応じて、他の表示範囲の画像に前記撮像画像を変更する、
請求項１〜７のいずれか一項に記載の画像処理システム。
【請求項９】
前記画像処理部は、
所定の画角で前記撮像部が撮像した前記撮像画像の少なくとも一部をトリミングして前記複数の表示範囲の画像に変更する、
請求項１〜８のいずれか一項に記載の画像処理システム。
【請求項１０】
前記複数の表示範囲の画像のうち少なくとも一部は表示サイズが異なる、
請求項１〜９のいずれか一項に記載の画像処理システム。
【請求項１１】
前記表示範囲は、矩形状であり、
前記複数の表示範囲の画像は、縦横比が異なる表示範囲を含む、
ことを特徴とする請求項１〜１０のいずれか一項に記載の画像処理システム。
【請求項１２】
前記所定の基準の位置を設定する位置設定部を、更に備える、
請求項１〜１１のいずれか一項に記載の画像処理システム。
【請求項１３】
前記複数の表示範囲のうち少なくとも１つの表示範囲について当該表示範囲を変更する変更部を、更に備える、
請求項１〜１２のいずれか一項に記載の画像処理システム。
【請求項１４】
前記撮像部は、インターホン装置に設けられている、
請求項１〜１３のいずれか一項に記載の画像処理システム。
【請求項１５】
撮像部が撮像した撮像画像を取得する取得ステップと、
所定の基準に基づいて、前記撮像画像を複数の表示範囲の画像に変更する画像処理ステップと、を含む、
画像処理方法。
【請求項１６】
コンピュータに、請求項１５に記載の画像処理方法を実行させるためのプログラム。
【発明の詳細な説明】
【技術分野】
【０００１】
本開示は、一般に画像処理システム、画像処理方法及びプログラムに関し、より詳細には表示先の装置に応じた画像を生成する画像処理システム、画像処理方法及びプログラムに関する。
【背景技術】
【０００２】
従来、インターホンシステムにおいて、来訪者を撮像した画像を表示する技術が知られている（例えば、特許文献１参照）。
【０００３】
特許文献１に記載されたインターホンシステムは、それぞれ画角が異なる複数のワイド画像を撮像可能なカメラを有する玄関子機と、カメラが撮像したワイド画像を受信して表示可能な居室親機とを備える。玄関子機は、居室親機を介して設定された設定情報に基づいて、カメラが撮像するワイド画像の画角を決定する。
【先行技術文献】
【特許文献】
【０００４】
【特許文献１】特開２０１７−１４７６４６号公報
【発明の概要】
【発明が解決しようとする課題】
【０００５】
ところで、インターホンシステムにおいて撮像された画像（撮像画像）を、複数の装置で表示する場合や、１つの装置で複数の表示態様で表示することがある。この場合、表示先の装置又は表示態様に応じて、撮像された画像を個別に処理するための情報を設定する必要がある。
【０００６】
本開示は上記課題に鑑みてなされ、撮像画像を表示先の装置又は表示態様に応じて容易に変更することができる画像処理システム、画像処理方法及びプログラムを提供することを目的とする。
【課題を解決するための手段】
【０００７】
本開示の一態様に係る画像処理システムは、取得部と、画像処理部と、を備える。前記取得部は、撮像部が撮像した撮像画像を取得する。前記画像処理部は、所定の基準に基づいて、前記撮像画像を複数の表示範囲の画像に変更する。
【０００８】
本開示の一態様に係る画像処理方法は、取得ステップと、画像処理ステップと、を備える。前記取得ステップは、撮像部が撮像した撮像画像を取得する。前記画像処理ステップは、所定の基準に基づいて、前記撮像画像を複数の表示範囲の画像に変更する。
【０００９】
本開示の一態様に係るプログラムは、コンピュータに、前記画像処理方法を実行させるためのプログラムである。
【発明の効果】
【００１０】
本開示によると、撮像画像を表示先の装置又は表示態様に応じて容易に変更することができる。
【図面の簡単な説明】
【００１１】
【図１】図１は、一実施形態に係る画像処理装置を備えるロビーインターホンの構成を説明する図である。
【図２】図２は、同上のロビーインターホンを含むインターホンシステムの構成を説明する図である。
【図３】図３Ａは、同上のインターホンシステムが備えるインターホン親機において、第１表示態様が選択された場合に表示される画面の縦横比を説明する図である。図３Ｂは、同上のインターホン親機において、第２表示態様が選択された場合に表示される各画面の縦横比を説明する図である。
【図４】図４は、同上のインターホンシステムが備える管理室親機で表示される画像の縦横比を説明する図である。
【図５】図５は、同上のロビーインターホンにおいて撮像部のレンズの向きの調整について説明する図である。
【図６】図６Ａは、同上の撮像部のレンズの向きが中央である場合において、第１画像〜第４画像を撮像画像からトリミングすることを説明する図である。図６Ｂは、同上の撮像部のレンズの向きが撮像部から見て左端である場合において、第１画像〜第４画像を撮像画像からトリミングすることを説明する図である。
【図７】図７は、変形例１を説明する図である。
【発明を実施するための形態】
【００１２】
以下に説明する実施形態及び変形例は、本開示の一例に過ぎず、本開示は、実施形態及び変形例に限定されない。以下の実施形態及び変形例以外であっても、本開示に係る技術的思想を逸脱しない範囲であれば、設計等に応じて種々の変更が可能である。
【００１３】
（実施形態）
以下、本実施形態に係るインターホンシステム１及び画像処理システム２について、図１〜図７を用いて説明する。
【００１４】
（１）概要
本実施形態のインターホンシステム１は、図２に示すように、インターホン装置としてのロビーインターホン１０と、複数（図示例では２つ）のインターホン親機２０と、複数（図示例では２つ）の玄関子機３０と、制御装置４０とを備えている。本実施形態では、インターホンシステム１が施設５としての集合住宅に用いられる場合を例として説明する。また、複数のインターホン親機の各々は、本開示の情報端末に相当する。
【００１５】
ロビーインターホン１０は、例えば、集合住宅のロビーなどの共用部に設置される。集合住宅は、共用部の他、複数の専有部（住戸）を有している。インターホン親機２０は、専有部ごとに当該専有部内に設置される。玄関子機３０は、例えば、専有部ごとに当該住戸の外玄関に設置される。
【００１６】
ロビーインターホン１０は、撮像部１１と、画像処理システム２としての画像処理装置１００と、を備える。ロビーインターホン１０は、撮像部１１が撮像した画像に関する処理を行う。
【００１７】
ロビーインターホン１０とインターホン親機２０とは、制御装置４０を介して互いに通信可能に構成されている。これにより、本実施形態に係るインターホンシステム１では、ロビーインターホン１０とインターホン親機２０との間で通話可能となる。さらに、インターホン親機２０と玄関子機３０とは、互いに通信可能に構成されている。
【００１８】
また、ロビーインターホン１０は、施設５の管理人室に設けられた管理室親機５０と、制御装置４０を介して互いに通信可能に構成されている。これにより、本実施形態に係るインターホンシステム１では、ロビーインターホン１０と管理室親機５０との間で通話可能となる。
【００１９】
ロビーインターホン１０は、共用部で人（例えば、来訪者）を検知すると、当該人の撮像を開始する。ロビーインターホン１０は、来訪者から呼び出しのための操作を受け付けると、専有部内の居住者を呼び出すための制御信号（呼出信号）をインターホン親機２０に制御装置４０を介して送信する。ロビーインターホン１０は、インターホン親機２０に対する操作によりインターホン親機２０との間で通話が可能になると、来訪者の音声のデータを制御装置４０を介してインターホン親機２０に送信する。ロビーインターホン１０は、インターホン親機２０の操作者の音声のデータを制御装置４０を介して受け取ると、受け取ったデータに基づく音声（操作者の音声）を出力する。また、ロビーインターホン１０は、来訪者から管理人に対する呼出操作を受け付けると、管理人を呼び出すための制御信号（呼出信号）を管理室親機５０に制御装置４０を介して送信する。ロビーインターホン１０は、管理室親機５０に対する操作により管理室親機５０との間で通話が可能になると、来訪者の音声のデータを制御装置４０を介して管理室親機５０に送信する。ロビーインターホン１０は、管理室親機５０の操作者（管理人）の音声のデータを制御装置４０を介して受け取ると、受け取ったデータに基づく音声（管理人の音声）を出力する。
【００２０】
画像処理装置１００は、撮像部１１が撮像した画像（撮像画像）を、所定の基準に基づいて、撮像画像を複数の表示範囲に変更する処理を行う。
【００２１】
インターホン親機２０が制御信号（呼出信号）をロビーインターホン１０から受信している状態（つまり、来訪者からロビーインターホン１０を介して呼出がある状態）で専有部内の住居者は、ロビーインターホン１０との通話又はロビーの扉の解錠の操作を行う。
【００２２】
制御装置４０は、ロビーインターホン１０から制御信号（呼出信号）を受け取ると、受け取った制御信号を呼出があるインターホン親機２０に送信する。制御装置４０は、ロビーインターホン１０とインターホン親機２０との間で通話が可能な状態である場合には、来訪者の音声のデータ及び操作者の音声のデータを送受信する。さらに、制御装置４０は、インターホン親機２０の操作に応じて、例えばロビーに設けられた扉の施錠、解錠を行う。
【００２３】
玄関子機３０は、来訪者から呼び出しのための操作を受け付けると、専有部内の居住者を呼び出すための制御信号（呼出信号）をインターホン親機２０に送信する。玄関子機３０は、インターホン親機２０に対する操作によりインターホン親機２０との間で通話が可能になると、来訪者の音声のデータをインターホン親機２０に送信する。玄関子機３０は、インターホン親機２０の操作者の音声のデータを受け取ると、受け取ったデータに基づく音声（操作者の音声）を出力する。
【００２４】
（２）構成
（２−１）ロビーインターホン
ロビーインターホン１０は、図１に示すように、画像処理システム２としての画像処理装置１００と、撮像部１１と、センサ部１２と、通信部１３と、操作部１４と、通話部１５と、記憶部１６と、表示部１７と、制御部１８と、を備える。
【００２５】
ロビーインターホン１０は、例えばプロセッサ及びメモリを有するマイクロコンピュータを有している。そして、プロセッサがメモリに格納されているプログラムを実行することにより、マイクロコンピュータが制御部１８として機能する。プロセッサが実行するプログラムは、ここではマイクロコンピュータのメモリに予め記録されているが、メモリカード等の非一時的な記録媒体に記録されて提供されてもよいし、インターネット等の電気通信回線を通じて提供されてもよい。
【００２６】
撮像部１１は、ＣＣＤ（Charge Coupled Devices）イメージセンサ、又はＣＭＯＳ（Complementary Metal-Oxide Semiconductor）イメージセンサ等の二次元イメージセンサ等の撮像素子を有し、所定の画角で被写体（来訪者等）を撮影するためのカメラである。撮像部１１が撮像に用いるレンズは、例えば魚眼レンズである。本実施形態では、少なくとも来訪者の顔を撮影できるように、撮像部１１の撮像エリア（視野）は、ロビーインターホン１０の前方に設定される。また、本実施形態では、撮像部１１は動画を撮影するカメラであるが、静止画を撮影するカメラであってもよい。さらに、本実施形態では、撮像部１１はカラー画像を撮影するカメラであるが、モノクローム画像を撮影するカメラであってもよい。さらに、本実施形態では、電気的な操作により撮像部１１のレンズの向きを撮像部１１から見て左右方向及び上下方向に移動させることが可能である。
【００２７】
センサ部１２は、例えば人の接近を検知する人感センサである。
【００２８】
通信部１３は、制御装置４０を介してインターホン親機２０及び管理室親機５０と通信を行うための通信インタフェースを含んでいる。通信部１３は、ロビーインターホン１０とインターホン親機２０との間で音声信号及び制御信号が双方向に伝送可能となるように、インターホン親機２０との間で双方向に通信可能に構成されている。さらに、通信部１３は、ロビーインターホン１０と管理室親機５０との間で音声信号及び制御信号が双方向に伝送可能となるように、管理室親機５０との間で双方向に通信可能に構成されている。
【００２９】
操作部１４は、来訪者から呼び出しのための操作を受け付ける。専有部（住戸）内の住居者を呼び出すために、操作部１４に対して所定の操作（例えば押操作）がされると、専有部（住戸）内の住居者を呼び出すための制御信号（呼出信号）を、通信部１３及び制御装置４０を介してインターホン親機２０に送信する。さらに、操作部１４は、管理人を呼び出すために、操作部１４に対して所定の操作（例えば押操作）がされると、管理人を呼び出すための制御信号（呼出信号）を、通信部１３及び制御装置４０を介して管理室親機５０に送信する。
【００３０】
通話部１５は、スピーカ及びマイクロホンを含み、インターホン親機２０及び管理室親機５０との間で通話可能に構成されている。
【００３１】
記憶部１６は、ＲＯＭ（Read Only Memory）、ＲＡＭ（Random Access Memory）、又はＥＥＰＲＯＭ（Electrically Erasable Programmable Read Only Memory）等から選択されるデバイスで構成される。記憶部１６は、撮像部１１が撮像した撮像画像を基に画像処理装置１００で画像処理された画像を記憶する。
【００３２】
表示部１７は、例えば液晶ディスプレイである。なお、ロビーインターホン１０がタッチパネルディスプレイを備えている場合には、タッチパネルディスプレイが表示部１７と操作部１４の一部とを兼ねてもよい。
【００３３】
制御部１８は、センサ部１２から検知結果を受け付ける。制御部１８は、操作部１４が受け付けた操作に係る情報を、操作部１４から受け付ける。
【００３４】
制御部１８は、センサ部１２の検知結果が人を検知したことを表している場合には、撮像部１１を起動し、撮像を開始させる。つまり制御部１８は、撮像部１１への電力の供給を開始する。
【００３５】
制御部１８は、インターホン親機２０に対する呼出操作が行われると、制御信号（呼出信号）を、通信部１３及び制御装置４０を介してインターホン親機２０に送信する。このとき、制御部１８は、撮像部１１が撮像した画像から一部又は全部を切り取った画像を、通信部１３及び制御装置４０を介してインターホン親機２０に送信して表示させる。制御部１８は、インターホン親機２０との間で通話が可能な状態である場合に、通話部１５のマイクロホンから来訪者の音声のデータ（音声信号）を受け取ると、受け取った音声信号をインターホン親機２０に送信する。制御部１８は、インターホン親機２０との間で通話が可能な状態である場合に、インターホン親機２０から操作者の音声信号を受け取ると、受け取った音声信号を通話部１５のスピーカに出力する。このときスピーカは受け取った音声信号を基に音声を出力する。
【００３６】
制御部１８は、管理室親機５０に対する呼出操作が行われると、制御信号（呼出信号）を、通信部１３及び制御装置４０を介して管理室親機５０に送信する。このとき、制御部１８は、撮像部１１が撮像した画像から一部を切り取った画像、通信部１３及び制御装置４０を介して管理室親機５０に送信して表示させる。制御部１８は、管理室親機５０との間で通話が可能な状態である場合に、通話部１５のマイクロホンから来訪者の音声のデータ（音声信号）を受け取ると、受け取った音声信号を管理室親機５０に送信する。制御部１８は、管理室親機５０との間で通話が可能な状態である場合に、管理室親機５０から操作者（管理人）の音声信号を受け取ると、受け取った音声信号を通話部１５のスピーカに出力する。このときスピーカは受け取った音声信号を基に音声を出力する。
【００３７】
画像処理装置１００は、撮像部１１が撮像した画像（撮像画像）を表示する表示先の表示態様に応じて、撮像画像に対して画像処理を施す。画像処理装置１００は、撮像部１１が撮像した画像（撮像画像）を、所定の基準に基づいて、表示先の表示態様に応じて撮像画像を複数の表示範囲の画像に変更する。画像処理装置１００の詳細な構成については、後述する。
【００３８】
（２−２）インターホン親機
インターホン親機２０は、図２に示すように、第１通信部２１と、第２通信部２２と、操作部２３と、通話部２４と、表示部２５と、制御部２６とを備えている。
【００３９】
インターホン親機２０は、例えばプロセッサ及びメモリを有するマイクロコンピュータを有している。そして、プロセッサがメモリに格納されているプログラムを実行することにより、マイクロコンピュータが制御部２６として機能する。プロセッサが実行するプログラムは、ここではマイクロコンピュータのメモリに予め記録されているが、メモリカード等の非一時的な記録媒体に記録されて提供されてもよいし、インターネット等の電気通信回線を通じて提供されてもよい。
【００４０】
第１通信部２１は、制御装置４０と通信するための通信インタフェースである。第１通信部２１は、制御装置４０を介してロビーインターホン１０に接続されている。例えば、第１通信部２１は、ロビーインターホン１０から送信される画像を受信する。さらに、ロビーインターホン１０との間で音声信号及び制御信号が双方向に伝送可能となるよう、第１通信部２１は、ロビーインターホン１０との間で双方向に通信可能に構成されている。
【００４１】
第２通信部２２は、玄関子機３０と通信するための通信インタフェースである。第２通信部２２は、例えばツイストペア線等からなる２線式の伝送路を介して、玄関子機３０と電気的に接続されている。
【００４２】
操作部２３は、専有部内の住居者の操作を受け付ける。第１通信部２１が住居者を呼び出すための制御信号（呼出信号）をロビーインターホン１０から受信している状態で、操作部２３に対して所定の操作がされると、インターホン親機２０とロビーインターホン１０との間で通話可能な状態となる。ここで、所定の操作は、例えば押操作である。第１通信部２１が呼出信号をロビーインターホン１０から受信している状態、又はロビーインターホン１０と通話可能な状態で、共用部に設けられた扉の解錠の操作がされると、解錠信号が制御装置４０に送信される。
【００４３】
さらに、第２通信部２２が住居者を呼び出すための制御信号（呼出信号）を玄関子機３０から受信している状態で、操作部２３に対して所定の操作（例えば押操作）がされると、インターホン親機２０と玄関子機３０との間で通話可能な状態となる。
【００４４】
通話部２４は、スピーカ及びマイクロホンを含み、ロビーインターホン１０及び玄関子機３０との間で通話可能に構成されている。
【００４５】
表示部２５は、例えば液晶ディスプレイであり、ロビーインターホン１０から送信される画像を表示する。表示部２５は、２つの表示態様のうち住居者の操作により１つの表示態様が選択され、選択された表示態様で画像を表示する。具体的には、１画面のみを表示する第１表示態様と、複数の画面（例えば、２つの画面）を表示する第２表示態様とのうち、住居者の操作により１つの表示態様が選択される。
【００４６】
表示部２５は、第１表示態様が選択された場合には、矩形状の画面の縦横比を３：５（９：１５）で画像を表示する（図３Ａ参照）。表示部２５は、第２表示態様が選択された場合には、矩形状の２つの画面のそれぞれの縦横比を９：１０及び９：５で２つの画像を表示する（図３Ｂ参照）。表示部２５は、第２表示態様が選択された場合、縦横比を９：１０とする画面にはリアルタイムの画像が表示され、縦横比を９：５とする画面には過去の画像（現時点よりも数秒前に撮像された画像）が表示される。
【００４７】
制御部２６は、ロビーインターホン１０から制御信号（呼出信号）及び画像を、第１通信部２１を介して受け取ると、呼出音の音データを、通話部２４のスピーカに出力し、受け取った画像を表示部２５に出力する。これにより、制御部２６は、通話部２４のスピーカに呼出音を出力させ、かつ第１画像を表示部２５に表示させる。
【００４８】
制御部２６は、玄関子機３０から制御信号（呼出信号）を、第２通信部２２を介して受け取ると、通話部２４のスピーカに呼出音を出力させる。
【００４９】
（２−３）玄関子機
玄関子機３０は、例えばプロセッサ及びメモリを有するマイクロコンピュータを有している。そして、プロセッサがメモリに格納されているプログラムを実行することにより、マイクロコンピュータが玄関子機３０として機能する。プロセッサが実行するプログラムは、ここではマイクロコンピュータのメモリに予め記録されているが、メモリカード等の非一時的な記録媒体に記録されて提供されてもよいし、インターネット等の電気通信回線を通じて提供されてもよい。
【００５０】
玄関子機３０は、来訪者から呼び出しのための操作を受け付けると、専有部内の住居者を呼び出すための制御信号（呼出信号）をインターホン親機２０に送信する。
【００５１】
玄関子機３０は、スピーカ及びマイクロホンを含み、インターホン親機２０との間で通話可能に構成されている。
【００５２】
なお、玄関子機３０は、撮像部を有してもよい。この場合、玄関子機３０は、撮像部が撮像した画像を、インターホン親機２０に送信する。インターホン親機２０は、玄関子機３０から受け取った画像を表示部２５で表示する。
【００５３】
（２−４）管理室親機
管理室親機５０は、図２に示すように、通信部５１と、操作部５２と、通話部５３と、表示部５４と、制御部５５と、を備える。
【００５４】
管理室親機５０は、例えばプロセッサ及びメモリを有するマイクロコンピュータを有している。そして、プロセッサがメモリに格納されているプログラムを実行することにより、マイクロコンピュータが制御部５５として機能する。プロセッサが実行するプログラムは、ここではマイクロコンピュータのメモリに予め記録されているが、メモリカード等の非一時的な記録媒体に記録されて提供されてもよいし、インターネット等の電気通信回線を通じて提供されてもよい。
【００５５】
通信部５１は、制御装置４０と通信するための通信インタフェースである。通信部５１は、制御装置４０を介してロビーインターホン１０に接続されている。例えば、通信部５１は、ロビーインターホン１０から送信される画像を受信する。さらに、ロビーインターホン１０との間で音声信号及び制御信号が双方向に伝送可能となるよう、通信部５１は、ロビーインターホン１０との間で双方向に通信可能に構成されている。
【００５６】
操作部５２は、管理人の操作を受け付ける。通信部５１が住居者を呼び出すための制御信号（呼出信号）をロビーインターホン１０から受信している状態で、操作部５２に対して所定の操作がされると、管理室親機５０とロビーインターホン１０との間で通話可能な状態となる。ここで、所定の操作は、例えば押操作である。
【００５７】
通話部５３は、スピーカ及びマイクロホンを含み、管理室親機５０及び管理室親機５０との間で通話可能に構成されている。
【００５８】
表示部５４は、例えば液晶ディスプレイであり、ロビーインターホン１０から送信される画像を表示する。表示部５４は、矩形状の画面の縦横比を３：４（９：１２）で画像を表示する（図４参照）。
【００５９】
制御部５５は、ロビーインターホン１０から制御信号（呼出信号）及び画像を、通信部５１を介して受け取ると、呼出音の音データを、通話部２４のスピーカに出力し、受け取った画像を表示部５４に出力する。これにより、制御部５５は、通話部５３のスピーカに呼出音を出力させ、かつ画像を表示部５４に表示させる。
【００６０】
（２−５）画像処理装置
画像処理システム２としての画像処理装置１００は、図１に示すように、取得部１０１と、画像処理部１０２と、基準設定部１０３と、位置設定部１０４と、変更部１０５と、を備える。なお、以下の説明において、縦横比が３：５（９：１５）である画像を第１画像と、縦横比が３：４（９：１２）である画像を第２画像と、縦横比が９：１０である画像を第３画像と、縦横比が９：５である画像を第４画像と、それぞれいう場合がある。
【００６１】
取得部１０１は、撮像部１１が撮像した画像（撮像画像）を、撮像部１１から受け取る。
【００６２】
画像処理部１０２は、所定の基準に基づいて、撮像画像を複数の表示範囲の画像に変更する。撮像画像を複数の表示範囲の画像に変更する際に用いる所定の基準として、ロビーインターホン１０の施工時に、所定の基準点、基準線、及び基準面のうち少なくとも１つが選択され、所定の基準として第１記憶領域に記憶される。つまり、所定の基準は、画像における所定の基準点、基準線、及び基準面のうち少なくとも１つを含んでいる。
【００６３】
画像処理部１０２は、施工時に選択された基準（所定の基準点、基準線、及び基準面のうちいずれか）を基に送信先の表示部で表示する画像を、撮像画像からトリミングする際の基準となる位置（基準位置）を第２記憶領域に記憶している。
【００６４】
さらに、画像処理部１０２は、第１画像〜第４画像のそれぞれの縦横比を、第３記憶領域に記憶している。
【００６５】
基準線が選択されている場合であって、撮像部１１のレンズの向きが中央、つまりレンズの左右方向の移動域の中央であり、かつ上下方向の稼動域の中央である場合には、画像処理部１０２は、撮像画像の中心を通る上下方向の直線を基準位置とする。基準線が選択されている場合であって、撮像部１１のレンズの向きが撮像部１１から見て左向き（又は右向き）である場合には、画像処理部１０２は、撮像画像の左端を通る上下方向の直線（又は撮像画像の右端を通る上下方向の直線）を基準位置とする。また、基準点が選択されている場合であって、撮像部１１のレンズの向きが中央である場合には、画像処理部１０２は、撮像画像の中心点を基準位置とする。基準点が選択されている場合であって、撮像部１１のレンズの向きが撮像部１１から見て左向き（又は右向き）である場合には、画像処理部１０２は、撮像画像の左端の中点（又は撮像画像の右端の中点）を基準位置とする。基準面が選択されている場合には、撮像画像に含まれる人の顔の領域を基準位置とする。なお、複数の人の顔が撮像画像に含まれている場合には、画像処理部１０２は、最も大きい顔の領域を基準位置とする。
【００６６】
画像処理部１０２は、決定した基準位置及び呼出先の表示部で表示される画像のサイズを基に、撮像画像をロビーインターホン１０の呼出先の表示部に応じた表示範囲の画像に変更する。
【００６７】
画像処理部１０２は、撮像画像の左端（又は右端）を通る上下方向の直線が基準位置であり、呼出先であるインターホン親機２０の表示部２５が第１表示態様で画像を表示する場合には、撮像画像を、基準位置（基準線）を１辺として含み、縦横比が９：１５である表示範囲の画像に変更する。具体的には、画像処理部１０２は、基準位置（基準線）を１辺として含み、縦横比が９：１５である第１画像を撮像画像からトリミングする。
【００６８】
画像処理部１０２は、撮像画像の左端（又は右端）を通る上下方向の直線が基準位置であり、呼出先であるインターホン親機２０の表示部２５が第２表示態様で画像を表示する場合には、リアルタイムに撮像された撮像画像（リアルタイム画像）を、基準位置（基準線）を１辺として含み、縦横比が９：１０である表示範囲の画像に変更する。具体的には、画像処理部１０２は、基準位置（基準線）を１辺として含み、縦横比が９：１０である第３画像をリアルタイム画像からトリミングする。さらに、画像処理部１０２は、過去に撮像された撮像画像（過去画像）を、基準位置（基準線）を１辺として含み、縦横比が９：５である表示範囲の画像に変更する。具体的には、画像処理部１０２は、基準位置（基準線）を１辺として含み、縦横比が９：５である第４画像を過去画像からトリミングする。
【００６９】
画像処理部１０２は、撮像画像の左端（又は右端）を通る上下方向の直線が基準位置であり、呼出先が管理室親機５０である場合には、撮像画像を、基準位置（基準線）を１辺として含み、縦横比が９：１２である表示範囲の画像に変更する。具体的には、画像処理部１０２は、基準位置（基準線）を１辺として含み、縦横比が９：１２である第２画像を撮像画像からトリミングする。
【００７０】
画像処理部１０２は、撮像部１１のレンズの向きが中央であり、基準として基準面が設定され、呼出先であるインターホン親機２０の表示部２５が第１表示態様で画像を表示する場合には、撮像画像を、基準位置（顔の領域）を中心とする、縦横比が９：１５である表示範囲の画像に変更する。具体的には、画像処理部１０２は、基準位置（顔の領域）を中心とする、縦横比が９：１５である第１画像を、撮像画像からトリミングする。
【００７１】
画像処理部１０２は、撮像部１１のレンズの向きが中央であり、基準として基準面が設定され、呼出先であるインターホン親機２０の表示部２５が第２表示態様で画像を表示する場合には、リアルタイム画像を、基準位置（顔の領域）を中心とする、縦横比が９：１０である表示範囲の画像に変更する。具体的には、画像処理部１０２は、基準位置（顔の領域）を中心とする、縦横比が９：１０である第３画像を、リアルタイム画像からトリミングする。さらに、画像処理部１０２は、過去画像を、基準位置（顔の領域）を中心とする、縦横比が９：１０である表示範囲の画像に変更する。具体的には、画像処理部１０２は、基準位置（顔の領域）を中心とする、縦横比が９：１０である第４画像を過去画像からトリミングする。
【００７２】
画像処理部１０２は、撮像部１１のレンズの向きが中央であり、基準として基準面が設定され、呼出先が管理室親機５０である場合には、撮像画像を、基準位置（顔の領域）を中心とする、縦横比が９：１２である表示範囲の画像に変更する。具体的には、画像処理部１０２は、基準位置（顔の領域）を中心とする、縦横比が９：１２である第２画像を、撮像画像からトリミングする。
【００７３】
本実施形態では、画像を複数の表示範囲の画像に変更する際に用いる基準を共通の基準としている。そのため、画像処理部１０２は、複数の表示範囲のうち一の表示範囲が決まると、基準が共通であるため当該一の表示範囲の決定に連動して他の表示範囲を決定するといえる。
【００７４】
また、撮像画像の左端（又は右端）を通る上下方向の直線が基準位置である場合、つまり、基準線が撮像画像の左端（又は右端）を通る場合には、当該基準線は、各表示範囲の１辺を含んでいる。
【００７５】
また、所定の基準が基準面であり、撮像部１１のレンズの向きが中央である場合には、基準面（人の顔の領域）は、画像の中心を含んでいる。
【００７６】
画像処理部１０２は、撮像画像からトリミングした画像を、制御部１８を介して呼出先の装置に送信する。
【００７７】
基準設定部１０３は、所定の基準点、基準線、及び基準面のうち複数の表示範囲の画像の変更に用いる１つの基準を設定する。具体的には、ロビーインターホン１０の施工時に作業者等が操作部１４に対して所定の操作を行うことで、所定の基準点、基準線、及び基準面のうち１つが基準として選択される。基準設定部１０３は、選択された１つの基準を第１記憶領域に記憶する。
【００７８】
位置設定部１０４は、撮像画像を複数の表示範囲の画像の変更する際に用いる基準位置を設定する。
【００７９】
第１記憶領域に所定の基準として基準点又は基準線が記憶されている場合には、位置設定部１０４は、撮像部１１のレンズの向きを調整することで、基準位置を設定する。上述したように、電気的な操作により撮像部１１のレンズの向きを撮像部１１から見て左右方向及び上下方向に移動させることが可能である。例えば、ロビーインターホン１０の操作部１４に設けられた４つのボタン１４１〜１４４を操作（押操作）することで、撮像部１１のレンズの向きを調整する。ボタン１４１を押操作すると、撮像部１１のレンズは、撮像部１１から見て右方向に移動する。ボタン１４２を押操作すると、撮像部１１のレンズは、撮像部１１から見て左方向に移動する。ボタン１４３を押操作すると、撮像部１１のレンズは、上方向に移動する。ボタン１４４を押操作すると、撮像部１１のレンズは、下方向に移動する。位置設定部１０４は、ボタン１４１，１４２のいずれかに対する押操作に応じて、基準位置を設定する。例えば、ボタン１４１に対して押操作がされると、第１記憶領に基準線が記憶されている場合には撮像画像の右端を通る直線を、基準点が記憶されている場合には撮像画像の右端の中点を、基準位置として第２記憶領域に設定する。ボタン１４２に対して押操作がされると、第１記憶領に基準線が記憶されている場合には撮像画像の左端を通る直線を、基準点が記憶されている場合には撮像画像の左端の中点を、基準位置として第２記憶領域に設定する。
【００８０】
第１記憶領域に所定の基準として基準面が記憶されている場合には、位置設定部１０４は、人の顔の領域を基準とする旨の情報を第２記憶領域に設定する。
【００８１】
変更部１０５は、変更部１０５は、第１画像〜第４画像のうち少なくとも１つの画像の表示範囲を変更する。具体的には、変更部１０５は、第１画像〜第４画像のうち少なくとも１つの画像の縦横比を変更する。変更部１０５は、例えば、インターホンシステム１の施工時に縦横比の変更を操作部１４から受け付けると、第３記憶領域に記憶している第１画像〜第４画像の各々の縦横比のうち、変更対象の縦横比を、受け付けた縦横比に変更する。
【００８２】
例えば、第１画像の縦横比が変更されると、画像処理部１０２は、基準位置に基づいて、縦横比が変更された比となるように第１画像を撮像画像からトリミングする。
【００８３】
（３）具体例
ここでは、撮像画像を複数の表示範囲の画像に変更することについて、具体例を用いて説明する。
【００８４】
図６Ａは、所定の基準が基準点又は基準線であり、基準位置が撮像画像の中央である場合での具体例である。
【００８５】
画像処理部１０２は、第１画像をトリミングする場合には、基準線Ｌ１又は基準点Ｏ１を基準として、縦横比が９：１５となるように、左右方向の長さを決定することで、表示範囲Ｒ１を決定する。画像処理部１０２は、決定した表示範囲Ｒ１の画像を第１画像として撮像画像Ｇ１からトリミングする。
【００８６】
画像処理部１０２は、第２画像をトリミングする場合には、基準線Ｌ１又は基準点Ｏ１を基準として、縦横比が９：１２となるように、左右方向の長さを決定することで、表示範囲Ｒ２を決定する。画像処理部１０２は、決定した表示範囲Ｒ２の画像を第２画像として撮像画像Ｇ１からトリミングする。
【００８７】
画像処理部１０２は、第３画像をトリミングする場合には、基準線Ｌ１又は基準点Ｏ１を基準として、縦横比が９：１０となるように、左右方向の長さを決定することで、表示範囲Ｒ３を決定する。画像処理部１０２は、決定した表示範囲Ｒ３の画像を第３画像として撮像画像Ｇ１からトリミングする。
【００８８】
画像処理部１０２は、第４画像をトリミングする場合には、基準線Ｌ１又は基準点Ｏ１を基準として、縦横比が９：５となるように、左右方向の長さを決定することで、表示範囲Ｒ４を決定する。画像処理部１０２は、決定した表示範囲Ｒ４の画像を第４画像として撮像画像Ｇ１からトリミングする。
【００８９】
図６Ｂは、所定の基準が基準点又は基準線であり、基準位置が撮像画像の左端である場合での具体例である。
【００９０】
画像処理部１０２は、第１画像をトリミングする場合には、基準線Ｌ２又は基準点Ｏ２を基準として、縦横比が９：１５となるように、右方向の長さを決定することで、表示範囲Ｒ１１を決定する。画像処理部１０２は、決定した表示範囲Ｒ１１の画像を第１画像として撮像画像Ｇ１１からトリミングする。
【００９１】
画像処理部１０２は、第２画像をトリミングする場合には、基準線Ｌ２又は基準点Ｏ２を基準として、縦横比が９：１２となるように、右方向の長さを決定することで、表示範囲Ｒ１２を決定する。画像処理部１０２は、決定した表示範囲Ｒ１２の画像を第２画像として撮像画像Ｇ１１からトリミングする。
【００９２】
画像処理部１０２は、第３画像をトリミングする場合には、基準線Ｌ２又は基準点Ｏ２を基準として、縦横比が９：１０となるように、右方向の長さを決定することで、表示範囲Ｒ１３を決定する。画像処理部１０２は、決定した表示範囲Ｒ１３の画像を第３画像として撮像画像Ｇ１１からトリミングする。
【００９３】
画像処理部１０２は、第４画像をトリミングする場合には、基準線Ｌ２又は基準点Ｏ２を基準として、縦横比が９：５となるように、右方向の長さを決定することで、表示範囲Ｒ１４を決定する。画像処理部１０２は、決定した表示範囲Ｒ１４の画像を第４画像として撮像画像Ｇ１１からトリミングする。
【００９４】
図６Ａで示すように、表示範囲Ｒ１〜Ｒ４は、各々の少なくとも一部が重複している。同様に、表示範囲Ｒ１〜Ｒ１４は、各々の少なくとも一部が重複している。
【００９５】
また、撮像画像Ｇ１を表示範囲Ｒ１〜Ｒ４のうち１つの表示範囲（例えば、表示範囲Ｒ１）の第１画像に変更した際、表示範囲Ｒ１は左右方向に表示範囲が変更されている。そして、この変更方向（左右方向）に応じて、撮像画像Ｇ１を他の表示範囲Ｒ２〜Ｒ４の画像（第２画像〜第４画像）に変更している。同様に、撮像画像Ｇ１１を表示範囲Ｒ１１〜Ｒ１４のうち１つの表示範囲（例えば、表示範囲Ｒ１１）の第１画像に変更した際、表示範囲Ｒ１１は右方向に表示範囲が変更されている。そして、この変更方向（右方向）に応じて、撮像画像Ｇ１１を他の表示範囲Ｒ１２〜Ｒ１４の画像（第２画像〜第４画像）に変更している。つまり、画像処理部１０２は、基準として基準点又は基準線が設定されて基準位置が定まると、基準位置を基に、同一の方向を変更方向として、撮像画像を複数の表示範囲に変更する。
【００９６】
なお、ここでは、撮像画像Ｇ１，Ｇ１１は、第１画像の表示範囲Ｒ１、Ｒ１１よりも大きいサイズとしているが、撮像画像Ｇ１，Ｇ１１は、第１画像の表示範囲Ｒ１、Ｒ１１と同じサイズであってもよい。要は、画像処理部１０２は、撮像画像の少なくとも一部をトリミングして複数の表示範囲の画像に変更する機能を有していればよい。
【００９７】
また、表示範囲Ｒ１〜Ｒ４の表示サイズは互いに異なる構成としているが、少なくとも一部が同一のサイズであってもよい。例えば、第１画像の表示範囲Ｒ１と第２画像の表示範囲Ｒ２とは同一のサイズであってもよい。同様に、表示範囲Ｒ１１〜Ｒ１４の表示サイズは互いに異なる構成としているが、少なくとも一部が同一のサイズであってもよい。つまり、複数の表示範囲のうち少なくとも一部は表示サイズが異なっていればよい。また、複数の表示範囲は、画像のサイズに対して、縦横比が異なる表示範囲を含んでいればよい。
【００９８】
（４）利点
以上説明したように、本実施形態の画像処理装置１００（画像処理システム２）は、第１画像〜第４画像を撮像装置からトリミングする場合、いずれの画像においても共通の基準位置を用いて、各画像（第１画像〜第４画像）を撮像画像からトリミングする。そのため、画像処理装置１００は、表示先の装置又は表示態様に応じて、撮像画像を個別に処理するための情報を設定する必要はない。したがって、画像処理装置１００は、撮像画像を表示先の装置又は表示態様に応じて容易に変更することができる。
【００９９】
また、画像処理装置１００は、撮像部１１のレンズの向きに応じて基準位置を変更しているので、撮像画像から得られる第１画像〜第４画像において人が含まれる可能性を高めることができる。
【０１００】
（５）変形例
以下に、変形例について説明する。なお、以下に説明する変形例は、上記実施形態と適宜組み合わせて適用可能である。
【０１０１】
（５−１）変形例１
実施形態において、撮像画像を複数の表示範囲の画像に変更する際に、基準位置は共通とする構成としたが、この構成に限定されない。
【０１０２】
撮像画像を複数の表示範囲の画像に変更する際に、少なくとも１つの表示範囲の基準位置は他の表示範囲の基準位置と異なってもよい。第４画像をトリミングする際の基準位置は、第１〜第３画像をトリミングする際の基準位置とは異なってもよい。
【０１０３】
例えば、図６Ｂで示すように、第１〜第３画像をトリミングする際の基準位置である基準線Ｌ２は、撮像画像の左端である。第４画像をトリミングする場合の基準位置である基準線Ｌ３は、基準線Ｌ２よりも所定の長さだけ中央に位置してもよい。この場合、画像処理部１０２は、第４画像をトリミングする場合には、基準線Ｌ３を基準として、縦横比が９：５となるように、右方向の長さを決定することで、表示範囲Ｒ２４を決定する（図７参照）。画像処理部１０２は、決定した表示範囲Ｒ２４の画像を第４画像として撮像画像Ｇ１１からトリミングする。
【０１０４】
少なくとも１つの表示範囲の基準位置は他の表示範囲の基準位置と、所定の長さ分だけ異ならせることで、トリミングする画像（例えば第４画像）に人を含める確率を高めることができる。
【０１０５】
（５−２）変形例２
本実施形態において、インターホン親機２０及び管理室親機５０が画像処理装置１００を備えてもよい。この場合、インターホン親機２０及び管理室親機５０は、インターホンシステム１の施工時に、ロビーインターホン１０の撮像部１１のレンズの向きを表すレンズ情報をロビーインターホン１０から受け取る。インターホン親機２０及び管理室親機５０は、受け取ったレンズ情報を基に、第１画像〜第４画像をトリミングする際の基準位置を決定する。
【０１０６】
または、制御装置４０が、画像処理装置１００を備えてもよい。この場合、制御装置４０は、インターホンシステム１の施工時に、レンズ情報をロビーインターホン１０から受け取る。制御装置４０は、受け取ったレンズ情報を基に、第１画像〜第４画像をトリミングする際の基準位置を決定する。
【０１０７】
また、玄関子機３０が撮像部を備えている場合には、玄関子機３０は、画像処理装置１００を備えてもよい。
【０１０８】
（５−３）変形例３
上記実施形態では、撮像部１１のレンズの向きを、電気的な操作により調整する構成としたが、この構成に限定されない。
【０１０９】
物理的な操作により、撮像部１１のレンズの向きが調整される構成であってもよい。例えば、インターホンシステム１の施工時に、施工者等が撮像部１１のレンズに触れてその向きを変更してもよい。
【０１１０】
（５−４）変形例４
上記実施形態では、インターホン親機２０及び管理室親機５０を撮像画像の表示先とする構成としたが、この構成に限定されない。
【０１１１】
撮像画像の表示先は、スマートフォン、タブレット端末等の情報端末であってもよい。この場合、画像処理装置１００は、基準位置を基に撮像画像を、情報端末の表示部で表示される縦横比に応じた表示範囲に変更する。
【０１１２】
（その他の変形例）
上記実施形態は、本開示の様々な実施形態の一つに過ぎない。上記実施形態は、本開示の目的を達成できれば、設計等に応じて種々の変更が可能である。また、画像処理システム２と同様の機能は、画像処理方法、コンピュータプログラム、又はプログラムを記録した非一時的な記録媒体等で具現化されてもよい。一態様に係る画像処理方法は、撮像部が撮像した画像を取得する取得ステップと、所定の基準に基づいて、画像を複数の表示範囲の画像に変更する画像処理ステップと、を含む。一態様に係るプログラムは、コンピュータシステムを、上述した画像処理方法として機能させるためのプログラムである。
【０１１３】
本開示における画像処理システム２又は画像処理方法の実行主体は、コンピュータシステムを含んでいる。コンピュータシステムは、ハードウェアとしてのプロセッサ及びメモリを有する。コンピュータシステムのメモリに記録されたプログラムをプロセッサが実行することによって、本開示における画像処理システム２又は画像処理方法の実行主体としての機能が実現される。プログラムは、コンピュータシステムのメモリに予め記録されていてもよいが、電気通信回線を通じて提供されてもよい。また、プログラムは、コンピュータシステムで読み取り可能なメモリカード、光学ディスク、ハードディスクドライブ等の非一時的な記録媒体に記録されて提供されてもよい。コンピュータシステムのプロセッサは、半導体集積回路（ＩＣ）又は大規模集積回路（ＬＳＩ）を含む１又は複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【０１１４】
コンピュータシステムである画像処理システム２は、１又は複数のコンピュータで構成されるシステムであってもよい。例えば、画像処理システム２の少なくとも一部の機能は、クラウド（クラウドコンピューティング）によって実現されてもよい。
【０１１５】
（まとめ）
以上説明したように、第１の態様の画像処理システム（２）は、取得部（１０１）と、画像処理部（１０２）とを、備える。取得部（１０１）は、撮像部（１１）が撮像した撮像画像を取得する。画像処理部（１０２）は、所定の基準に基づいて、撮像画像を複数の表示範囲（例えば、表示範囲Ｒ１〜Ｒ４，Ｒ１１〜Ｒ１４）の画像（例えば第１画像〜第４画像）に変更する。
【０１１６】
この構成によると、所定の基準に基づいて、撮像画像を複数の表示範囲の画像に変更するので、表示先の装置又は表示態様に応じて、撮像部（１１）が撮像した撮像画像を個別に処理するための情報を設定する必要はない。したがって、画像処理システム（２）は、撮像部（１１）が撮像した撮像画像を表示先の装置又は表示態様に応じて容易に変更することができる。
【０１１７】
第２の態様の画像処理システム（２）では、第１の態様において、画像処理部（１０２）は、複数の表示範囲のうち、一の表示範囲を所定の基準に基づいて決定すると、当該一の表示範囲の決定に連動して他の表示範囲を決定する。
【０１１８】
この構成によると、一の表示範囲を所定の基準に基づいて決定すると、当該一の表示範囲の決定に連動して他の表示範囲を決定する。そのため、画像処理システム（２）は、表示先の装置又は表示態様に応じて、撮像部（１１）が撮像した撮像画像を個別に処理するための情報を設定する必要はない。
【０１１９】
第３の態様の画像処理システム（２）では、第１又は第２の態様において、所定の基準は、撮像画像における所定の基準点（例えば、基準点Ｏ１，Ｏ２）、基準線（例えば、基準線Ｌ１，Ｌ２，Ｌ３）、及び基準面のうち少なくとも１つを含む。
【０１２０】
この構成によると、所定の基準点、基準線、及び基準面のうちいずれかを用いて、撮像画像を複数の表示範囲に変更することができる。
【０１２１】
第４の態様の画像処理システム（２）は、第３の態様において、基準設定部（１０３）を、更に備える。基準設定部（１０３）は、所定の基準に含まれる所定の基準点、基準線、及び基準面のうち複数の表示範囲の画像に変更する際に用いる１つの基準を設定する。
【０１２２】
この構成によると、撮像画像を複数の表示範囲の画像に変更する際の所定の基準を設定することができる。
【０１２３】
第５の態様の画像処理システム（２）では、第３又は第４の態様において、所定の基準は基準線を含む。基準線は、複数の表示範囲のうち少なくとも１つの表示範囲の１辺を含む。
【０１２４】
この構成によると、複数の表示範囲のうち少なくとも１つの表示範囲の１辺を基準として、他の表示範囲を変更することができる。
【０１２５】
第６の態様の画像処理システム（２）では、第３〜第５のいずれかの態様において、所定の基準は、基準面を含む。基準面は、撮像画像の中心を含む。
【０１２６】
この構成によると、撮像画像の中心を基準として、撮像部（１１）が撮像した撮像画像を複数の表示範囲に変更することができる。
【０１２７】
第７の態様の画像処理システム（２）では、第１〜第６のいずれかの態様において、複数の表示範囲は、各々の少なくとも一部が重複する。
【０１２８】
この構成によると、複数の表示範囲は、各々の少なくとも一部が重複するので、例えば各表示範囲に人の顔の領域を重複部分として含めることができる。
【０１２９】
第８の態様の画像処理システム（２）では、第１〜第７のいずれかの態様において、画像処理部（１０２）は、複数の表示範囲のうち１つの表示範囲の画像に撮像画像を変更した際の当該１つの表示範囲の変更方向に応じて、他の表示範囲の画像に撮像画像を変更する。
【０１３０】
この構成によると、複数の表示範囲のうち１つの表示範囲の画像に撮像画像を変更する際の変更方向に応じて、他の表示範囲の画像に撮像画像を変更するので、表示先の装置又は表示態様に応じて、撮像部（１１）が撮像した撮像画像を個別に処理するための情報を設定する必要はない。
【０１３１】
第９の態様の画像処理システム（２）では、第１〜第８のいずれかの態様において、画像処理部（１０２）は、所定の画角で撮像部（１１）が撮像した撮像画像の少なくとも一部をトリミングして複数の表示範囲の画像に変更する。
【０１３２】
この構成によると、トリミングを行うことで、撮像画像を表示先の装置又は表示態様に応じて撮像部（１１）が撮像した撮像画像を変更することができる。
【０１３３】
第１０の態様の画像処理システム（２）では、第１〜第９のいずれかの態様において、複数の表示範囲のうち少なくとも一部は表示サイズが異なる。
【０１３４】
この構成によると、画像処理システム（２）は、撮像画像を表示先の装置又は表示態様に応じて容易に変更することができる。
【０１３５】
第１１の態様の画像処理システム（２）では、第１〜第１０のいずれかの態様において、表示範囲は、矩形状である、複数の表示範囲の画像は、縦横比が異なる表示範囲を含む。
【０１３６】
この構成によると、画像処理システム（２）は、撮像画像を表示先の装置又は表示態様に応じて容易に変更することができる。
【０１３７】
第１２の態様の画像処理システム（２）は、第１〜第１１のいずれかの態様において、所定の基準の位置を設定する位置設定部（１０４）を、更に備える。
【０１３８】
この構成によると、所定の基準の位置を設定するので、表示先の装置又は表示態様に応じて、撮像部（１１）が撮像した撮像画像を個別に処理するための情報を設定する必要はない。
【０１３９】
第１３の態様の画像処理システム（２）は、第１〜第１２のいずれかの態様において、複数の表示範囲のうち少なくとも１つの表示範囲について当該表示範囲を変更する変更部（１０５）を、更に備える。
【０１４０】
この構成によると、複数の表示範囲のうち少なくとも１つの表示範囲について変更をすることができる。
【０１４１】
第１４の態様の画像処理システム（２）では、第１〜第１３のいずれかの態様において、撮像部（１１）は、インターホン装置（例えばロビーインターホン１０）に設けられている。
【０１４２】
この構成によると、インターホンシステムに対して適用が可能である。
【０１４３】
第１５の態様の画像処理方法は、取得ステップと、画像処理ステップと、を含む。取得ステップは、撮像部（１１）が撮像した撮像画像を取得する。画像処理ステップは、所定の基準に基づいて、撮像画像を複数の表示範囲（例えば、表示範囲Ｒ１〜Ｒ４，Ｒ１１〜Ｒ１４）の画像（例えば、第１画像〜第４画像）に変更する。
【０１４４】
この画像処理方法によると、撮像部（１１）が撮像した撮像画像を表示先の装置又は表示態様に応じて容易に変更することができる。
【０１４５】
第１６の態様のプログラムは、コンピュータに、第１５の態様の画像処理方法を実行させるためのプログラムである。
【０１４６】
このプログラムによると、撮像部（１１）が撮像した撮像画像を表示先の装置又は表示態様に応じて容易に変更することができる。
【符号の説明】
【０１４７】
１    インターホンシステム
２    画像処理システム
１０    ロビーインターホン
１１    撮像部
１００    画像処理装置
１０１    取得部
１０２    画像処理部
１０３    基準設定部
１０４    位置設定部
１０５    変更部
Ｌ１，Ｌ２，Ｌ３    基準線
Ｏ１，Ｏ２    基準点
Ｇ１，Ｇ１１    撮像画像
Ｒ１〜Ｒ４，Ｒ１１〜Ｒ１４，Ｒ２４    表示範囲
【図１】
2020174260.tif 000003
【図２】
2020174260.tif 000004
【図３】
2020174260.tif 000005
【図４】
2020174260.tif 000006
【図５】
2020174260.tif 000007
【図６】
2020174260.tif 000008
【図７】
2020174260.tif 000009